(57)【特許請求の範囲】
【請求項１】
ユーザの人体の３次元形状を非接触で計測する３次元人体計測装置と、前記３次元人体計測装置とネットワークを介して接続されたサーバと、前記サーバとネットワークを介して接続された端末と、を備える下着のオーダーメイドシステムであって、
前記サーバは、
標準の理想体型に関する情報と、複数の型紙データと、少なくとも身長、体重、年齢からなる前記ユーザの個人情報とを有するデータベースと、
前記３次元人体計測装置で測定した測定値から前記ユーザの人体の所定箇所の測定値を抽出する測定値抽出手段と、
前記測定値抽出手段により抽出された測定値と、前記標準の理想体型に関する情報と、前記個人情報とを基に前記ユーザの理想体型を算出する理想体型算出手段と、
前記理想体型算出手段により算出された前記ユーザの理想体型に対応する型紙データを作成する型紙データ作成手段と、
前記型紙データ作成手段により作成された型紙データに対応する縫製情報と前記個人情報と前記標準の理想体型に関する情報とを関連づけてカウンセリング情報として前記データベースに記録する記録手段と、
前記端末を介して入力されたユーザの嗜好に対応する嗜好情報と前記カウンセリング情報とを比較し、比較結果に基づいて前記縫製情報に対する評価を行う評価手段と、
前記評価手段による評価が反映された縫製業者に送信されるための情報である最終縫製情報を決定する最終縫製情報決定手段と、
を備える下着のオーダーメイドシステム。
【請求項２】
前記最終縫製情報決定手段は、評価を反映して前記縫製情報を決定するか否かにつき前記ユーザに対して確認を求める確認手段を更に有する、
請求項１に記載の下着のオーダーメイドシステム。
【請求項３】
前記型紙データ作成手段は、前記理想体型算出手段により算出したユーザの理想体型に
近似する型紙データを複数作成し、
前記サーバは、前記型紙データ作成手段によって作成された複数の型紙データの中から少なくとも１つを抽出する型紙データ抽出手段を更に備え、
前記記録手段は、型紙データ抽出手段で抽出された型紙データに対応する縫製情報と前記個人情報と前記標準の理想体型に関する情報とを関連づけてカウンセリング情報として前記データベースに記録する、
請求項１又は請求項２に記載の下着のオーダーメイドシステム。
【請求項４】
前記カウンセリング情報は、前記ユーザの下着の着用履歴情報と前記ユーザの下着の購入履歴情報を更に有する、
請求項１から請求項３のいずれかに記載の下着のオーダーメイドシステム。
【請求項５】
前記ユーザ嗜好情報は、少なくとも下着の素材情報と段階的に表される下着の着用感情報からなる、
請求項１から請求項４のいずれかに記載の下着のオーダーメイドシステム。
【請求項６】
ユーザの人体の３次元形状を非接触で計測する３次元人体計測装置及び端末とネットワークを介して接続されたサーバであって、
標準の理想体型に関する情報と、複数の型紙データと、少なくとも身長、体重、年齢からなる前記ユーザの個人情報とを有するデータベースと、
前記３次元人体計測装置で測定した測定値から前記ユーザの人体の所定箇所の測定値を抽出する測定値抽出手段と、
前記測定値抽出手段により抽出された測定値と、前記標準の理想体型に関する情報と、前記個人情報とを基に前記ユーザの理想体型を算出する理想体型算出手段と、
前記理想体型算出手段により算出された前記ユーザの理想体型に対応する型紙データを作成する型紙データ作成手段と、
前記型紙データ作成手段により作成された型紙データに対応する縫製情報と前記個人情報と前記標準の理想体型に関する情報とを関連づけてカウンセリング情報として前記データベースに記録する記録手段と、
前記端末を介して入力されたユーザの嗜好に対応する嗜好情報と前記カウンセリング情報とを比較し、比較結果に基づいて前記縫製情報に対する評価を行う評価手段と、
前記評価手段による評価が反映された縫製業者に送信されるための情報である最終縫製情報を決定する最終縫製情報決定手段と、
を備えるサーバ。
【請求項７】
ユーザの人体の３次元形状を非接触で計測する３次元人体計測装置と、前記３次元人体計測装置とネットワークを介して接続されたサーバと、前記サーバとネットワークを介して接続された端末と、を備える下着のオーダーメイドシステムにおける前記サーバで実行される下着のオーダーメイドの方法であって、
前記サーバは、
標準の理想体型に関する情報と、複数の型紙データと、少なくとも身長、体重、年齢からなる前記ユーザの個人情報とを有するデータベースを備え、
前記３次元人体計測装置で測定した測定値から前記ユーザの人体の所定箇所の測定値を抽出する測定値抽出ステップと、
前記測定値抽出ステップで抽出された測定値と、前記標準の理想体型に関する情報と、前記個人情報とを基に前記ユーザの理想体型を算出する理想体型算出ステップと、
前記理想体型算出ステップで算出された前記ユーザの理想体型に対応する型紙データを作成する型紙データ作成ステップと、
前記型紙データ作成ステップで作成された型紙データに対応する縫製情報と前記個人情報と前記標準の理想体型に関する情報とを関連づけてカウンセリング情報として前記デー
タベースに記録する記録ステップと、
前記端末を介して入力されたユーザの嗜好に対応する嗜好情報と前記カウンセリング情報とを比較し、比較結果に基づいて前記縫製情報に対する評価を行う評価ステップと、
前記評価ステップによる評価が反映された縫製業者に送信されるための情報である最終縫製情報を決定する最終縫製情報決定ステップとを実行する、
下着のオーダーメイドの方法。
【請求項８】
ユーザの人体の３次元形状を非接触で計測する３次元人体計測装置と、前記３次元人体計測装置とネットワークを介して接続されたサーバと、前記サーバとネットワークを介して接続された端末と、を備える下着のオーダーメイドシステムにおける前記サーバで実行可能な下着のオーダーメイドのプログラムであって、
前記サーバは、標準の理想体型に関する情報と、複数の型紙データと、少なくとも身長、体重、年齢からなる前記ユーザの個人情報とを有するデータベースを備え、
前記サーバを、
前記３次元人体計測装置で測定した測定値から前記ユーザの人体の所定箇所の測定値を抽出する測定値抽出手段と、
前記測定値抽出手段により抽出された測定値と、前記標準の理想体型に関する情報と、前記個人情報とを基に前記ユーザの理想体型を算出する理想体型算出手段と、
前記理想体型算出手段により算出された前記ユーザの理想体型に対応する型紙データを作成する型紙データ作成手段と、
前記型紙データ作成手段により作成された型紙データに対応する縫製情報と前記個人情報と前記標準の理想体型に関する情報とを関連づけてカウンセリング情報として前記データベースに記録する記録手段と、
前記端末を介して入力されたユーザの嗜好に対応する嗜好情報と前記カウンセリング情報とを比較し、比較結果に基づいて前記縫製情報に対する評価を行う評価手段と、
前記評価手段による評価が反映された縫製業者に送信されるための情報である最終縫製情報を決定する最終縫製情報決定手段と、
を備えるサーバとして機能させる下着のオーダーメイドのプログラム。
【発明の詳細な説明】
【技術分野】
【０００１】
本発明は、下着のオーダーメイドシステムに関する。
【背景技術】
【０００２】
下着は、汗の吸収、体温の調節などの本質的な機能の他に、体型にあった美しいプロポーションを最大限に引き出す機能をもつことが重要である。下着の製造や下着の選択において、そのような下着の機能に多大な関心がよせられている。
【０００３】
このようなプロポーションの最適性は、身長、体重、太股、ヒップ、ウエスト、バストなどの要素により決定され、その各要素のバランスにより、最も美しく見える姿が決定される。このような最適体型に必要な最適な下着の製造および選択においては、その人間の体型を正確かつ迅速に測定することが必要となっており、そのための計測手段の改良や開発が行なわれてきている。
【０００４】
本出願人は、日々研究を重ね、高精度かつ効率的に非接触で人体の測定を可能とする下着用３次元人体計測装置を開発した（例えば、特許文献１参照）。一方、非接触３次元計測装置によって得られた顧客の３次元身体像をバランスのとれた美しい補正体型に変換する処理を、効率的に行う補正下着の製造装置が知られている（例えば、特許文献２参照）。
【特許文献１】特許第２８６８９８５号公報
【特許文献２】特開平１０−１３０９２９号公報
【発明の開示】
【発明が解決しようとする課題】
【０００５】
下着用３次元人体計測装置によれば高精度かつ効率的に非接触で人体の測定が可能となる。また、補正下着の製造装置によれば非接触３次元計測装置によって得られた顧客の３次元身体像をバランスのとれた美しい補正体型に変換する処理を、効率的に行うことができる。
【０００６】
しかし、上記のような高精度で測定する３次元計測装置で得られた測定値から作成される下着は、人体にフィットする形状で作成される。しかし、下着は、伸縮する素材で作成されるため、ユーザが実際に着用するとフィット感が得られない場合がある。これは、繊維の収縮を完全にシュミレーションして、人体の３次元形状から型紙を算出することは困難なことによるものである。
【０００７】
また、下着を着用する人体は柔軟な脂肪で構成されている。従って、着用時は変形し、ヌード時の３次元計測結果とは異なる形状になる。また、人体形状は時間とともに変化する。従って、体型に完全にフィットする下着を設計することは困難である。
【０００８】
本発明は、上記課題に鑑みてなされたものである。すなわち、実際の着用時にフィット感を得られる下着を提供可能なオーダーメイドシステムであって、ユーザの嗜好も取り入れることが可能な下着のオーダーメイドシステムを提供することを課題とする。
【課題を解決するための手段】
【０００９】
上記した問題に鑑み、本発明に係る下着のオーダーメイドシステムは、それぞれがネットワークを介して接続された、３次元人体計測装置と、サーバと、端末とを備え、前記サーバによって、ユーザの嗜好情報とサーバが管理する情報とを比較評価するカウンセリン
グ機能を備える構成とした。
【００１０】
詳細には、本発明は、ユーザの人体の３次元形状を非接触で計測する３次元人体計測装置と、前記３次元人体計測装置とネットワークを介して接続されたサーバと、前記サーバとネットワークを介して接続された端末と、を備える下着のオーダーメイドシステムであって、前記サーバは、標準の理想体型に関する情報と、複数の型紙のデータと、少なくとも身長、体重、年齢からなる前記ユーザの個人情報とを有するデータベースと、前記３次元人体計測装置で測定した測定値から前記ユーザの人体の所定箇所の測定値を抽出する測定値抽出手段と、前記測定値抽出手段により抽出された測定値と、前記標準の理想体型に関する情報と、前記個人情報とを基に前記ユーザの理想体型を算出する理想体型算出手段と、前記理想体型算出手段により算出された前記ユーザの理想体型に対応する型紙データを作成する型紙データ作成手段と、前記型紙データ作成手段により作成された型紙データに対応する縫製情報と前記個人情報と前記標準の理想体型に関する情報とを関連づけてカウンセリング情報として前記データベースに記録する記録手段と、前記端末を介して入力されたユーザの嗜好に対応する嗜好情報と前記カウンセリング情報とを比較し、比較結果に基づいて前記縫製情報に対する評価を行う評価手段と、前記評価手段による評価が反映された縫製業者に送信されるための情報である最終縫製情報を決定する最終縫製情報決定手段と、を備える。
【００１１】
本発明に係る下着のオーダーメイドシステムは、ユーザの嗜好に対応する嗜好情報とサーバが管理するカウンセリング情報とをサーバが比較評価するカウンセリング機能を備えることで、ユーザの嗜好を反映すると共に実際の着用時にフィット感をより得られる下着を提供することができる。
【００１２】
本発明に係る下着のオーダーメイドシステムに用いる３次元人体計測装置は、例えばＣＣＤカメラおよび格子とシャッターを備えるプロジェクタからなる測定ユニット、切換器、フレームメモリとともに、画像撮影制御、切換器制御および画像座標処理を行なう計測制御部、データ作成部およびデータ表示部を備えた演算・制御装置を有し、演算・制御装置における計測制御部の画像撮影制御および切換器制御に従って、測定ユニットのプロジェクタにより格子パターンが人体表面に投影され、ＣＣＤカメラにより人体表面形状によって変形した格子線パターンが変形格子像として撮像されてフレームメモリに記録され、計算制御部の画像座標処理により、原点をＯ（０，０，０）としたＸ−Ｙ−Ｚ直角座標の物体空間系において、プロジェクタのレンズを、その光軸をＹ軸に合わせ、且つその主点を点Ａ（０，ａ，０）に置くように配置するとともに、ＣＣＤカメラのレンズを、その主点をＹ−Ｚ平面内の点Ｂ（０，ａ，ｂ）に置き、且つその光軸が原点Ｏを通るように配置し、さらに、撮像変形格子画像の面を、中心を点ｏ（０，ａ＋ｃ，ｂ＋ｄ）とし、且つＸ軸に平行なｘ軸を有するｘ−ｙ直角座標の観測系とした場合において、物体空間系において、点Ａから射出されるｎ番目の格子線の角度をθＮとしたときのＸ−Ｚ平面内に得られる格子線上の点を（Ｘ，０，ａｔａｎθＮ）とし、投影格子パターンの格子線上の点をＴ（
Ｘ，Ｙ，Ｚ）とし、さらに、観測系において、Ｔ（Ｘ，Ｙ，Ｚ）に対応する点をｔ（ｘ，ｙ）としたとき、変形格子像の格子線の２次元座標（ｘ，ｙ）から人体表面の３次元座標（Ｘ，Ｙ，Ｚ）が
【数１】
0005109084.tif 000002
を用いて算出され、そして、この３次元座標データがデータ作成部およびデータ表示部を介して表示されるものとすることができる。
【００１３】
上記３次元人体計測装置によれば、暗室に近い環境を必要とせず、高効率かつ高精度に非接触で人体の測定が可能となる。なお、上記３次元人体計測装置は、本出願人が先に開発した技術である。また、この３次元人体計測装置の測定原理等については、後述する発明を実施するための最良の形態において詳述する。
【００１４】
本発明に係る下着のオーダーメイドシステムに用いるサーバは、データベースを備え、前記３次元人体計測装置及び端末とネットワークを介して接続される。端末は、前記３次元人体計測装置が設置される販売店（店舗）、ユーザの自宅、メーカー、縫製工場等必要に応じた箇所に複数設置することができる。なお、端末には、市販のパーソナルコンピュータを用いることができる。従って、改めて設置する必要はなく、既存のパーソナルコンピュータを用いることができる。３次元人体計測装置と端末とサーバがネットワークを介して接続された構成とすることで、下着の発注、製造管理、顧客管理、ユーザの注文、見積もり書の発行、売り上げ管理等を行うことができる。
【００１５】
前記データベースには、標準の理想体型に関する情報と、複数の型紙のデータと、少なくとも身長、体重、年齢からなる前記ユーザの個人情報が格納される。なお、前記データベースに格納される情報は、上記に限定されるわけではない。また、標準の理想体型に関する情報とは、例えば身長に対応する理想体型に関する情報をいう。例えば、所定の身長に対応するトップバスト、アンダーバスト、ウエスト、ヒップ廻り、太股、ヒップ高、ウエスト高、トップバスト高等に関する情報をいう。
【００１６】
複数の型紙データとは、下着の種類毎に区分けされ、更に所定のサイズ毎に区分けされた型紙データをいう。下着の種類には、ブラジャー、ショーツ、ガードル、ボディースーツ等が例示される。サイズ毎の区分けでは、例えば、ブラジャーは、カップサイズ、アンダーバストサイズのパラメータより構成され、ボディースーツは、カップサイズ、アンダーバストサイズ、ヒップサイズのパラメータより構成される。
【００１７】
個人情報は、少なくとも身長、体重、年齢によって構成することができる。この他にも、個人情報は例えば住所、今まで着用していた下着の履歴、下着の購入履歴等を個人情報によって構成することができる。
【００１８】
測定値抽出手段は、３次元人体計測装置で測定した測定値から前記ユーザの人体の所定箇所の測定値を抽出する。すなわち、３次元人体計測装置によれば人体の３次元形状を正確に測定することが可能であるが、測定値抽出手段は、３次元人体計測装置が測定した測
定値の中から所定の測定値を抽出する。所定箇所の測定値は、下着の種類に応じて任意に選択することができる。所定箇所とは、例えば、身長、体重、チェスト、トップバスト、アンダーバスト、乳頭間の幅、乳頭下がり、下乳丈、ウエスト、アンダーバストからウエスト丈、肩山中央からウエスト背面、ヒップ、腹囲、足付け根廻り（左右）、大腿最大囲（左右）、下股廻り（左右）、アンダーバストからヒップ丈、着き込み丈、ヒップ高、ウエスト高（前後）、トップバスト高等が例示される。なお、３次元人体計測装置で測定する箇所を所定の箇所に限定するようにしてもよい。
【００１９】
理想体型算出手段は、測定値抽出手段により抽出した測定値と、標準の理想体型に関する情報と、個人情報と、を基にユーザの理想体型を算出する。ユーザの理想体型は、ユーザの体型や嗜好により異なるものである。測定値と、標準の理想体型に関する情報と、個人情報と、を基に理想体型を算出することによりユーザに適した理想体型を算出することができる。
【００２０】
型紙データ作成手段は、理想体型算出手段により算出したユーザの理想体型に対応する型紙データを作成する。型紙は、理想体型に関するデータに基づいてその都度作成してもよいが、予め複数の型紙データを作成しておき、抽出するようにしてもよい。その場合、型紙データ抽出手段を設け、型紙データ抽出手段によって、理想体型算出手段により算出したユーザの理想体型に近似する型紙データを複数の型紙データの中から少なくとも１つ抽出する。なお、型紙データは、例えば、きつめ、ぴったり、ゆるめのように複数種類抽出することとしてもよい。データベースに予め入力された型紙データを抽出することで、フルオーダーで作成する場合より、作業工程の簡素化を図ることができる。
【００２１】
また、抽出した型紙データを補正する型紙データ補正手段を設けてもよい。抽出された型紙データを補正することで、抽出した場合であっても理想体型データに一致する型紙データを作成することが可能となる。データベースに予め入力された型紙データを抽出し、これを補正することで測定値に基づいてフルオーダーで作成する場合より、作業工程の簡素化を図ることができる。
【００２２】
記録手段は、型紙データ作成手段により作成された型紙データに対応する縫製情報と個人情報と標準の理想体型に関する情報とを関連づけてカウンセリング情報としてデータベースに記録する。縫製情報は、型紙データ作成手段により作成された型紙データに加えて、素材に関するデータ等により構成される。縫製情報と個人情報と理想体型に関する情報とを関連づけるとは、個人情報に縫製情報や理想体型に関する情報を関連づけることを指す。換言すると、例えばあるユーザの個人情報の氏名を選択することにより、そのユーザの縫製情報や理想体型に関する情報もこれに付随して参照できるようにすることをいう。この関連づけられた情報をカウンセリング情報としてデータベースに記録することで、ユーザ個々のあらゆる情報を一つのデータとして管理することができ、更に後述するユーザの嗜好情報と対応するようにデータベース化することで、カウンセリング情報と嗜好情報との比較が可能となり、サーバによりカウンセリング機能を実行することができる。
【００２３】
カウンセリング情報には、ユーザの下着の着用履歴情報とユーザの下着の購入履歴情報を更に含めてもよい。下着の着用履歴情報とは、ユーザがどのような下着を今まで着用しているかを表す情報である。下着の購入履歴情報とは、ユーザがどのような頻度でどのような種類を購入したかを表す情報である。カウンセリング情報としてユーザに関する情報をより多くサーバに記録していくことで、ユーザの細かい嗜好に合わせた下着を提供することが可能となる。
【００２４】
評価手段は、端末を介して入力されたユーザの嗜好に対応する嗜好情報とカウンセリング情報とを比較し、比較結果に基づいて縫製情報に対する評価を行う。評価の方法として
は、例えば、コメントや点数評価等が例示される。
【００２５】
嗜好情報は、下着の素材情報、段階的に表される下着の着用感情報により構成することができる。段階的に表される下着の着用感情報とは、例えばきつめ、ぴったり、ゆるめの３段階で表される情報が例示される。なお、これらの情報に限定されるわけでなく、ユーザの嗜好に対応する情報であればよい。
【００２６】
嗜好情報とカウンセリング情報は、情報の内容を対応させておくことが望ましい。例えば、嗜好情報における下着の素材情報とカウンセリング情報における縫製情報の素材情報は対応している。また、例えば嗜好情報の着用感情報を３段階として表す場合には、カウンセリング情報の縫製情報に３段階として表現される着用感に関する情報を備えさせることで、嗜好情報とカウンセリング情報とが対応することになる。このように、嗜好情報とカウンセリング情報とを対応させてデータベースに記録することで、サーバによる情報の比較が容易となる。
【００２７】
最終縫製情報決定手段は、評価手段による評価が反映された縫製業者に送信されるための情報である最終縫製情報を決定する。最終縫製情報は、縫製業者端末に送信され、縫製され下着が完成する。評価手段による評価が反映された最終縫製情報を決定することで、ユーザの嗜好がより反映された下着を縫製することが可能となる。また、最終縫製情報決定手段は、評価を反映して前記縫製情報を決定するか否かにつき前記ユーザに対して確認を求めることとしてもよい。決定前にユーザに確認を求めることで、ユーザの嗜好により反映した下着を縫製することが可能となる。
【００２８】
なお、本発明は、サーバで実行される処理を実現させる方法、又はプログラムであってもよい。更に、本発明は、そのようなプログラムを記録したコンピュータが読み取り可能な記録媒体であってもよい。この場合、コンピュータ等に、この記録媒体のプログラムを読み込ませて実行させることにより、その機能を提供させることができる。なお、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。
【発明の効果】
【００２９】
本発明によれば、実際の着用時にフィット感を得られる下着を提供可能なオーダーメイドシステムであって、ユーザの嗜好も取り入れることが可能な下着のオーダーメイドシステムを提供することができる。
【発明を実施するための最良の形態】
【００３０】
次に、本発明に係る下着のオーダーメイドシステムについて図面に基づいて説明する。
【００３１】
図１は、本実施形態に係る下着のオーダーメイドシステムの構成を示す概略図である。同図に示すように、本発明に係る下着のオーダーメイドシステムは、３次元人体計測装置１１１、３次元人体計測装置１１１が設置される店舗に設置される店舗端末１０２ａ、顧客の自宅等に設置される顧客端末１０２ｂ、縫製工場等に設置される縫製工場端末１０２ｃ、３次元人体計測装置１１１により実際に計測した店舗とは異なる店舗に設置される他店舗端末１０２ｄ、縫製業者に配置される縫製業者端末１０２ｅ、本発明に係る下着のオーダーメイドシステム専用サーバ１０３により構成される。また、３次元人体計測装置１１１、各端末１０２ａから１０２ｅおよび専用サーバ１０３は、ネットワークを介して接続されている。なお、ネットワークは、電気的に接続されていればよく有線、無線を問わ
ない。
【００３２】
ここで、図２は、店舗端末１０２ａ等の各端末の概略構成を示す図である。同図に示すように、店舗端末１０２ａ、顧客端末１０２ｂ、縫製工場端末１０２ｃ、他店舗端末１０２ｄ、縫製業者端末１０２ｅ、専用サーバ１０３は、ＣＰＵ（中央演算処理装置）２１１、記憶部２１２、メモリ２１３、操作部２１４、表示部２１５、外部機器と接続可能なインターフェース部２１６等を備えるコンピュータによって構成することができる。
【００３３】
ＣＰＵ２１１は、バス２１７を介して上述した記憶部２１２等の各ハードウェアと接続され、記憶部２１２等のハードウェアを制御すると共に、例えばメモリ２１３としてのＲＯＭに格納された制御プログラムに従って、所定の処理を実行する。
【００３４】
記憶部２１２は、ハードディスクドライブ（以下、ＨＤＤとする。）により構成することができる。メモリ２１３は、揮発性のＲＡＭ（Random Access Memory）と、不揮発性のＲＯＭ（Read Only Memory）を含む。ＲＯＭには、フラッシュメモリ、ＥＰＲＯＭ（Erasable Programmable Read-Only Memory）、ＥＥＰＲＯＭ（Electrically Erasable Programmable Read-Only Memory）のような書き換え可能な半導体メモリを含む。
【００３５】
操作部２１４は、コンピュータの入力装置、例えば、キーボード、ポインティングデバイス等が含まれる。ポインティングデバイスの種類には特に限定はなく、マウス、トラックボール、ダイヤル式操作部、スティック形式でディスプレイ上のポインタを移動する装置、静電容量によってユーザの指の操作を検出するデバイス、タッチパネル、ジョイスティック等、ユーザのニーズ等に応じて、適切なものを使用すればよい。
【００３６】
表示部２１５は、例えば、液晶表示装置、プラズマディスプレイパネル、ＣＲＴ（Cathode Ray Tube）、エレクトロルミネッセンスパネル等である。なお、図示されていないが、表示部２１５には、画像データを格納するＲＡＭ、およびＲＡＭのデータに基づき表示部２１５を駆動する駆動回路が含まれる。但し、画像データを格納するＲＡＭ、表示部２１５を駆動する駆動回路等は、画像処理基板として、表示部２１５とは独立に設けても良い。その場合に、画像処理基板には、ＣＰＵ２１１からの画面情報を構成するデータが入力される。
【００３７】
インターフェース部２１６は、ＵＳＢ等のシリアルインターフェース、あるいは、ＰＣＩ（Peripheral Component Interconnect）、ＩＳＡ（Industry Standard Architecture ）、ＥＩＳＡ（Extended ISA）、ＡＴＡ（AT Attachment）、ＩＤＥ（Integrated Drive Electronics）、ＩＥＥＥ１３９４、ＳＣＳＩ（Small Computer System Interface）等のパラレルインターフェースのいずれでもよい。
【００３８】
３次元人体計測装置１１１は、ユーザの人体形状を計測する。計測されたユーザの計測データは、専用サーバ１０３にネットワークを介して送信される。なお、三次元人体計測装置１１１にも、上述した各端末と同様なコンピュータを接続することができる。
【００３９】
ここで、３次元計測装置１１１について説明する。図３は、本実施形態における３次元人体計測装置１１１を示す概略図である。同図に示すように、３次元人体計測装置１１１は、ユーザ１１０の前後に配置された計６台の測定ユニット１１２ａ〜１１２ｆにより構成されている。例えば、測定ユニット１１２ｄは、カメラＣ１と、プロジェクタＰ１により構成されている。なお、他の測定ユニットも同様の構成とすることができる。カメラＣ１、プロジェクタＰ１の動作、換言すると３次元人体計測装置１１１の制御は、３次元人体計測装置１１１と電気的に接続されたコンピュータ（図示せず。）によって行うことができる。なお、３次元人体計測装置１１１の制御は、店舗内に配置された店舗端末１０２
ａにより制御してもよい。また、測定ユニット１１２の配置は、図３に示す形態に限定されるわけではない。例えば、測定ユニット１１２ａ等は、ユーザ１１０の前後のみならず左右に配置してもよい。なお、図３に示すようにユーザ１１０の前後にのみ配置した場合には、設置スペースの省スペース化を図ることができる。また、ユーザ１１０の前後左右にも測定ユニット１１２を配置することで計測精度をより向上させることができる。
【００４０】
図４は、３次元人体計測装置１１１を構成する測定ユニット１１２の配置の詳細を示す図である。同図に示すように、３次元人体計測装置１１１を構成する６台の測定ユニットは、前面上半身計測用計測ユニット１１２ａ、アンダーバスト計測用計測ユニット１１２ｂ、前面下半身計測用計測ユニット１１２ｃ、後面上半身計測用計測ユニット１１２ｄ、ヒップ計測用計測ユニット１１２ｅ、後面下半身計測用計測ユニット１１２ｆのように計測箇所が予め決まっている。なお、同図に示す三角形は、各測定ユニットにおける計測可能範囲を示す。従って、同図に示すように、上下２台の測定ユニットによってもユーザ１１０の全身を計測することは可能である。しかし、図４に示すように上下２台の測定ユニットの間にもう一台測定ユニットを設置することで、死角を極力減らすことができ、より精度の高い計測データを得ることができる。
【００４１】
なお、３次元人体計測装置１１１の測定原理は、以下の通りである。まず初めに直線状の格子模様からなるパターンを対象の人体に投影する。このパターンは物体表面の３次元的起伏によって変形するので、このとき投影方向とは別の方向よりこれを観測すれば、その表面形状に応じて変形したパターンをみることができる。
【００４２】
そこで、プロジェクタＰ１により水平方向の格子パターンを測定物体に投影し、観測される変形格子像を、カメラＣ１で撮影する。そして、取り込んだ変形格子像をコンピュータにより演算処理する。次に観測される変形格子像（フレームメモリに取り込んだ画像）と、測定物体表面上の３次元座標との関係を処理する。この関係式を導くために必要な条件および座標軸を図５のように設定する。
【００４３】
この図５において、原点をＯ（０，０，０）とし、Ｘ−Ｙ−Ｚ直角座標を物体空間系とする。格子パターン投影のためのプロジェクタレンズの光軸をＹ軸に合わせ、レンズ主点を点Ａ（０，ａ，０）に置くと考える。また、変形格子像を取り組むためのカメラレンズの主点はＹ−Ｚ平面内の点Ｂ（０，ａ，ｂ）に置き、カメラレンズの光軸は原点Ｏを通るように配置する。
【００４４】
カメラＣ１により取り込まれた変形格子画像の面をｘ−ｙ直角座標系とし、これを観測系と呼ぶことにする。観測系の中心を点ｏ（０，ａ＋ｃ，ｂ＋ｄ）として、Ｘ軸に平行にｘ軸をとる。点Ａ（プロジェクタレンズ）から射出されるｎ番目の格子線の角度（Ｚ−Ｙ平面内でのＹ軸からの角度）をθN として、そのときのＸ−Ｚ平面内に得られる格子線上の点を（Ｘ，０，ａtan θN ）とする。 測定物体に投影した格子線上の点をＴ（Ｘ，Ｙ，
Ｚ）とし、それに対応する観測系の点をｔ（ｘ，ｙ）とすると、点Ｔが直線ＡＤと直線ｔＢの交点であることから、次式のようにＴとｔとの関係式が得られる。
【００４５】
【数１】
0005109084.tif 000003
【００４６】
この式により変形格子像（取り込まれた画像）の格子線の座標（ｘ，ｙ）から、測定物体表面の座標（Ｘ，Ｙ，Ｚ）を求めることができる。次に取り込んだ画像から格子線を抽出するために、コンピュータによる解析処理を行なう。Ａ／Ｄ変換後、フレームメモリに記憶した画像をコンピュータに画素情報として送る。このとき格子線を抽出するために各画素の二値化などを行なう。
【００４７】
そして、ノイズ処理後、各格子線の位置を求め、数１によって二次から三次元へ座標変換を行い、その結果を出力することで処理を終了する。ノイズとしては主としてごま塩ノイズが問題となるために、二値化とともにフィルタ処理を施す。
【００４８】
次に専用サーバ１０３について説明する。図６は、専用サーバ１０３の機能ブロック図である。同図に示すように、専用サーバ１０３には、制御部２１０が設けられている。そして、制御部２１０には、計測データを取得する計測データ取得部２２１、取得した計測データを記憶部２１２へ記録する記録部２２２、計測データからユーザの人体の所定箇所の測定値を抽出する測定値抽出部２２３と、ユーザの理想体型を算出する理想体型算出部２２４と、型紙データを作成する型紙データ作成部２２５と、カウンセリング情報を作成して記憶部２１２に記録するカウンセリング情報記録部２２６と、評価を行う評価部２２７と、縫製業者に送信する最終縫製情報を決定する最終縫製情報決定部２２８とが設けられている。なお、制御部２１０は、ＣＰＵ、メモリ等を含むコンピュータとコンピュータ上で実行されるプログラムによって実現することができる。
【００４９】
次に、専用サーバ１０３で実行される処理について、上記制御部１０の各機能とともに図面に基づいて説明する。図７は、専用サーバ１０３で実行される処理フローである。
【００５０】
ステップＳ２０１では、３次元人体計測装置１１１で測定されたユーザの計測データが取得され、記憶部２１２に記録される。すなわち、計測データ取得部２２１は、ネットワークによって接続されている３次元人体計測装置１１１から、ユーザの計測データを例えばＣＡＤデータとして取得する。測定データの取得は、３次元計測装置１１１が計測完了後に自動的に送信するようにし、計測データ取得部２２１がこれを受け付けることで取得してもよい。また、また販売員等が送信ボタンを押すことにより計測データが送信されるようにし、計測データ取得部２２１がこれを取得するようにしてもよい。そして、記録部２２２は、取得された計測データを記憶部２１２へ記録する。
【００５１】
ここで、図８は、記憶部２１２に格納されるデータ構成を示す概略図である。同図に示すように、専用サーバ１０３の記憶部２１２には、計測データの他、標準の理想体型に関する情報、複数の型紙のデータに関する情報、少なくとも身長、体重、年齢からなるユー
ザの個人情報が予めデータベースとして保存されている。標準の理想体型に関する情報とは、身長に対応する理想体型に関する情報をいう。標準の理想体型においても例えばスレンダータイプやグラマラスタイプに分けることができる。例えばスレンダータイプに関する情報とは、トップバストは身長×０．６２、アンダーバストは身長×０．４２、ウエストは身長×０．３２、ヒップ廻りは身長×０．５３、太股は身長×０．２９、ヒップ高は身長×０．５３５、ウエスト高は身長×０．６１６、トップバスト高は身長×０．４２という基準に関する情報をいう。
【００５２】
複数の型紙データに関する情報とは、下着の種類毎に区分けされ、更に所定のサイズ毎に区分けされた型紙データをいう。下着の種類には、ブラジャー、ショーツ、ガードル、ボディースーツ等が例示される。サイズ毎の区分けでは、例えば、ブラジャーは、カップサイズ、アンダーバストサイズのパラメータより構成され、ボディースーツは、カップサイズ、アンダーバストサイズ、ヒップサイズのパラメータより構成される。
【００５３】
個人情報は、少なくとも身長、体重、年齢から構成される。この他にも、例えば住所、今まで着用していた下着の履歴、下着の購入履歴等を個人情報とすることができる。なお、上述した記憶部２１２に格納される情報は、表示部１４に表示することができる。
【００５４】
処理フローの説明に戻る。ステップＳ２０２では、取得された計測データからユーザの人体の所定箇所の測定値が抽出される。すなわち、測定値抽出部２２３によって、取得されたユーザの計測データから全身２９箇所の測定値が抽出される。ここで、抽出される全身２９箇所を図９、図１０に示す。これらの図に示すように、抽出する箇所は、身長１、体重２、チェスト（胸囲）３、トップバスト４、アンダーバスト５、乳頭間の幅６、乳頭下がり７、下乳丈８、ウエスト９、アンダーバストからウエスト丈１０、肩山中央からウエスト背面１１、ヒップ１２、腹囲１３、足付け根廻り（左右）１４、大腿最大囲（左右）１５、下股廻り（左右）１６、アンダーバストからヒップ丈１７、着き込み丈１８、ヒップ高１９、ウエスト高（前後）２０、トップバスト高２１、バスト体積２２、バストからアンダーバスト距離２３、ウエストからアンダーヒップ２４、ヒップ幅２５、トップヒップから腹部距離２６、太股２７、ウエストからアンダーヒップ２８、トップヒップからアンダーヒップ長２９である。なお、抽出する測定箇所は上記に限定されるわけではない。また、全身２９箇所の測定値は、本発明に係る所定箇所の測定値に相当する。
【００５５】
なお、抽出箇所に反映されていない箇所であっても、例えばバージスラインに関してはアンダーバスト部の形状から推定することができる。また、バストの領域を規定することにより、体積が計測可能となる。更に、ウエスト等の位置が不明確な場合は、シールを使ってその位置を予め指定することで測定値を正確に抽出することができる。測定値の抽出が完了したら次のステップへ進む。
【００５６】
ステップＳ２０３では、抽出された計測データに基づいてユーザの理想体型が算出される。すなわち、理想体型算出部２２４によって、ステップＳ２０２で抽出された測定値と、標準の理想体型に関する情報と、前記個人情報と、に基づいてユーザ１１０の理想体型が算出される。ユーザ１１０の理想体型は、個人個人の体型や嗜好により異なるものであり、また、年齢と共に変化するものでもある。測定値と、標準の理想体型に関する情報と、個人情報と、に基づいて理想体型を算出することによりユーザ１１０により適した理想体型を算出することができる。理想体型の算出が完了したら次のステップへ進む。
【００５７】
ステップＳ２０４では、算出された理想体型に基づいて型紙データが作成される。すなわち、型紙データ作成部２２５によって、ステップＳ２０３で算出されたユーザ１１０の理想体型に基づいて型紙データが作成される。なお、型紙データの作成は、専用サーバ１０３がステップＳ２０３で抽出した測定値を基準に予め専用サーバ１０３に格納されたデ
ータベースより測定値に近似する既存の型紙データを抽出することとしてもよい。データベースに予め入力された型紙データを抽出することで、フルオーダーで作成する場合より、作業工程の簡素化を図ることができる。なお、抽出された型紙データを補正する補正部を設けてもよく、これにより、より正確な型紙データの作成が可能となる。型紙データの作成が完了したら次のステップへ進む。
【００５８】
ステップＳ２０５では、カウンセリング情報が作成され、作成されたカウンセリング情報が記憶部２１２に記録される。すなわち、カウンセリング情報記録部２２６によって、ステップＳ２０５で作成された型紙データに対応する縫製情報と前記個人情報と標準の理想体型に関する情報とを関連づけることでカウンセリング情報が作成され、作成されたカウンセリング情報が記憶部２１２に記録される。ここで、縫製情報は、ステップＳ２０４により作成された型紙データに素材に関するデータを付加することで形成することができる。また、縫製情報と個人情報と理想体型に関する情報とを関連づけるとは、個人情報に縫製情報や理想体型に関する情報を関連づけることを指す。この関連づけられた情報をカウンセリング情報として記憶部２１２にデータベース化して記録することで、ユーザ個人ごとのあらゆる情報を一つのデータとして管理することができ、更に後述するユーザの嗜好情報と対応するようにデータベース化することで、カウンセリング情報と嗜好情報との比較が可能となり、専用サーバ１０３によるカウンセリング機能を実行することが可能となる。なお、カウンセリング情報には、ユーザが今までに着用した下着の着用履歴情報や、購入履歴情報等を含めてもよい。
【００５９】
なお、カウンセリング情報は、各端末の表示部２１５に表示可能である。図１１から図１３に、表示部２１５に表示されるカウンセリング情報の例を示す。図１１では、３次元人体計測装置１１１により測定された実際の測定値に基づいて表されるユーザ１１０の３次元人体像が表示されている。これにより、ユーザは、自らの体型を表示部２１５を通じて確認することができる。なお、操作部２１４によって、ユーザ１１０の嗜好する角度から表示できるようにしてもよい。図１２では、ユーザ１１０のカウンセリング情報の一例が表示されている。同図に示すように、図１２には、ユーザ１１０の氏名、年齢、計測日、スレンダータイプを選択した場合のトップバスト等の数値、グラマラスタイプを選択した場合のトップバスト等の数値が表示されている。個人情報に縫製情報や理想体型に関する情報を関連づけられて表示され、また、これらの情報は、表、グラフ、イメージ図といった様々な形式で表示さている。従って、ユーザは、様々な角度から購入する下着の検討を行うことができる。図１３では、様々な種類の下着をユーザ１１０が装着した場合のイメージが示されている。これにより、ユーザは、様々な種類の下着を画面上でシュミレーションすることができる。
【００６０】
ステップＳ２０６では、ユーザの嗜好が反映された嗜好情報が取得される。具体的には、操作部２１４を介してユーザ自らの嗜好を受け付ける。嗜好情報は、例えば、下着の素材情報、きつめ、ぴったり、ゆるめの３段階で表される着用感に関する情報（下着の着用感情報）によって構成することができる。なお、カウンセリング情報と嗜好情報とは、情報の内容を対応させておくことが好ましい。例えば、嗜好情報における下着の素材情報とカウンセリング情報における縫製情報の素材情報を対応させるようにする。これにより、後述する比較部２２７における比較が容易となる。
【００６１】
ステップＳ２０７では、評価が行われる。すなわち、評価部２２７によって、ステップＳ２０６で受け付けたユーザの嗜好に対応する嗜好情報とステップＳ２０５で記録されたカウンセリング情報とが比較され、比較結果に基づいて縫製情報に対する評価が行われる。すなわち、比較部２２７は、嗜好情報に含まれる情報に対応するカウンセリング情報に含まれる情報とを比較し、嗜好情報とカウンセリング情報とがどの程度一致している、又はどの程度開きがあるか等を判断する。サイズなど数値で表現される情報に関しては、数
値同士を比較し、数値が一致しているか、近似しているか、差が大きいかといった基準を基に判断すればよい。図１４に、評価結果を示す画面を示す。図１４において、ａは計測値に基づくユーザ１１０の三次元画像、ｂはユーザの嗜好を受け付けて最終的に決定された下着を一定期間着用した場合の理想体型、ｃは身体の各部位が理想体型に近づく可能性を点数評価で示し、ｄはこれをグラフ化したものであり、ｅは総合評価を文章としてコメントしたものである。このように、本実施形態に係る下着のオーダーメイドシステムによれば、カウンセリング情報と嗜好情報との比較及び評価がサーバで自動的に行われるので、ユーザは、このような評価結果を踏まえた上で購入するか否かについての判断ができ、より自分に合った下着を選択することができる。評価が完了すると、次のステップへ進む。
【００６２】
ステップＳ２０８では、最終縫製情報が決定される。すなわち、最終縫製情報決定部２２８によって、ステップＳ２０７における評価が反映された縫製情報が、縫製業者に送信されるための情報である最終縫製情報として決定される。なお、縫製情報を決定するに際しては、評価を反映して前記縫製情報を決定するか否かにつきユーザ１１０に対して確認を求めることとしてもよい。決定前にユーザに確認を求めることで、ユーザの嗜好により反映した下着を縫製することが可能となる。このように、ユーザ１１０の嗜好を受け付けた後、サーバ１０３によりユーザ１１０の嗜好とカウンセリング情報とを比較評価し、これらを反映した縫製情報を最終的な縫製情報とすることでユーザの嗜好がより反映された下着を縫製することが可能となる。また、ユーザ１１０は、各端末１０２ａから１０２ｅによっていつでも自らのカウンセリング情報を閲覧可能であり、また、自らの嗜好を送信可能である。従って、実際に着用したら若干きつめであったような場合や、以前の購入時より若干ゆるめの下着を購入したい等、様々な場面に応じて、最も自分に適した下着を購入することが可能となる。
【００６３】
最終縫製情報が決定されると、決定された最終縫製情報が縫製業者端末に送信される。その後、縫製業者によって、最終縫製情報を基に下着の縫製が行われる。
【００６４】
以上説明した本実施形態に係る下着のオーダーメイドシステムによれば、実際の着用時にフィット感を得られる下着であって、ユーザの嗜好も取り入れることが可能な下着を提供することができる。
【００６５】
以上、本発明の好適な実施形態を説明したが、本発明に係る下着のオーダーメイドシステムはこれらに限らず、可能な限りこれらの組合せを含むことができる。
【図面の簡単な説明】
【００６６】
【図１】下着のオーダーメイドシステムの構成を示す概略図である。
【図２】端末の概略構成を示す図である。
【図３】３次元人体計測装置を示す概略図である。
【図４】３次元人体計測装置を構成する測定ユニットの配置の詳細を示す図である。
【図５】３次元人体計測装置の測定原理を示した空間座標の関係図である。
【図６】専用サーバの機能ブロック図である。
【図７】専用サーバで実行される処理フローである。
【図８】記憶部に格納されるデータ構成を示す概略図である。
【図９】抽出される全身２９箇所を示す第一図である。
【図１０】抽出される全身２９箇所を示す第二図である。
【図１１】表示部に表示される画面の一例を示す図である。
【図１２】表示部に表示される画面の一例を示す図である。
【図１３】表示部に表示される画面の一例を示す図である。
【図１４】表示部に表示される評価結果を示す図である。
【符号の説明】
【００６７】
１０２ａ・・・店舗端末
１０２ｂ・・・ユーザ端末
１０２ｃ・・・縫製工場端末
１０２ｄ・・・他店舗端末
１０２ｅ・・・縫製業者端末
１０３・・・専用サーバ
１１０・・・ユーザ
１１１・・・３次元人体計測装置
１１２ａ〜１１２ｆ・・・測定ユニット
２１１・・・ＣＰＵ
２１２・・・記憶部
２１３・・・メモリ
２１４・・・操作部
２１５・・・表示部
２１６・・・インターフェース部
２１７・・・バス
２２１・・・計測データ取得部
２２２・・・記録部
２２３・・・測定値抽出部
２２４・・・理想体型算出部
２２５・・・型紙データ作成部
２２６・・・カウンセリング情報記録部
２２７・・・評価部
２２８・・・最終縫製情報決定部
【図１】
0005109084.tif 000004
【図２】
0005109084.tif 000005
【図３】
0005109084.tif 000006
【図４】
0005109084.tif 000007
【図５】
0005109084.tif 000008
【図６】
0005109084.tif 000009
【図７】
0005109084.tif 000010
【図８】
0005109084.tif 000011
【図９】
0005109084.tif 000012
【図１０】
0005109084.tif 000013
【図１１】
0005109084.tif 000014
【図１２】
0005109084.tif 000015
【図１３】
0005109084.tif 000016
【図１４】
0005109084.tif 000017